(57)【要約】【課題】  簡単な構成で、迅速に光源部の位置を補正することができる照明装置を提供する。【解決手段】  被写体を照明する照明光を射出し、少なくとも２つの基準位置ＨＰ１，ＨＰ２を含む一次元方向に移動可能な光源部４と、前記少なくとも２つの基準位置ＨＰ１，ＨＰ２の中の１つの基準位置に基づいて前記光源部４の位置を補正する補正部８とを備える。【選択図】  図１
2010250158.tif 000002
【特許請求の範囲】
【請求項１】
被写体を照明する照明光を射出し、少なくとも２つの基準位置を含む一次元方向に移動可能な光源部と、
前記少なくとも２つの基準位置の中の１つの基準位置に基づいて前記光源部の位置を補正する補正部と、
を備えることを特徴とする照明装置。
【請求項２】
前記光源部の現在位置を記憶する記憶部と、
前記少なくとも２つの基準位置の中で、前記現在位置からの距離が最も短い前記１つの基準位置を選択する選択部と、を備え、
前記補正部は、前記選択部により選択された前記１つの基準位置に基づいて前記光源部の位置を補正することを特徴とする請求項１記載の照明装置。
【請求項３】
前記光源部に給電するための電源をオンしたとき、前記光源部が所定距離移動したとき、及び前記光源部が所定回数移動したときの少なくとも１つに該当するとき、
前記補正部は、前記光源部の位置を補正することを特徴とする請求項１または請求項２記載の照明装置。
【発明の詳細な説明】
【技術分野】
【０００１】
本発明は、撮影用の照明光を射出する照明装置に関するものである。
【背景技術】
【０００２】
被写体に対する光源部の位置を移動させることにより発光照射角を変化させる照明装置が知られている。このような照明装置では、光源部を移動させるための移動機構の経年変化や摩耗等、または外部からの衝撃等による光源部の移動等により、光源部の位置にずれが生じる場合がある。このずれを防止するために、光源部の移動経路上に基準位置を設け、装置の電源をオンしたとき等に光源部を基準位置に移動させることにより光源部の位置を補正する照明装置が知られている（例えば、特許文献１参照）。
【先行技術文献】
【特許文献】
【０００３】
【特許文献１】特開２００３−３３００７４号公報
【発明の概要】
【発明が解決しようとする課題】
【０００４】
ところで、上述の照明装置では、照明装置を構成する部品のサイズや配置位置の制限に伴い、例えば図５に示すように、光源部と共に移動するブラシが位置Ｗと位置Ｔとの間を移動可能に構成され、位置Ｗ側に１つの基準位置ＨＰ０が設置される。したがって、例えばブラシが位置Ａ０から位置Ｂ０へ移動する際に光源部の位置を補正する必要がある場合には、ブラシを位置Ａ０から基準位置ＨＰ０に移動させ、基準位置ＨＰ０に基づいて光源部の位置補正を行い、ブラシを基準位置ＨＰ０から位置Ｂ０まで移動させる等、光源部の移動距離が長くなる場合があった。移動距離が長くなることにより、光源部の位置補正のために多くの電力を要する問題があった。また、光源部の位置補正に時間（移動時間）を要するがため、装置の起動に長時間を要したり、あるいはシャッタチャンスを逃す等の問題があった。また、光源部の移動期間（時間）が長くなると、それに伴う音の発生期間も長くなるため、ユーザーに不快感を与える等の問題があった。
【０００５】
本発明の目的は、簡単な構成で、迅速に光源部の位置を補正することができる照明装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の照明装置は、被写体を照明する照明光を射出し、少なくとも２つの基準位置（ＨＰ１，ＨＰ２）を含む一次元方向に移動可能な光源部（４）と、前記少なくとも２つの基準位置（ＨＰ１，ＨＰ２）の中の１つの基準位置に基づいて前記光源部（４）の位置を補正する補正部（８）とを備えることを特徴とする。
【発明の効果】
【０００８】
本発明の照明装置によれば、簡単な構成で、迅速に光源部の位置を補正することができる。
【図面の簡単な説明】
【０００９】
【図１】実施の形態に係る照明装置の概略構成を示す図である。
【図２】実施の形態に係る照明装置において光源部の位置を補正する際の処理について説明するためのフローチャートである。
【図３】ブラシの位置及び移動経路について説明するための図である。
【図４】ブラシの位置及び移動経路について説明するための図である。
【図５】従来の照明装置におけるブラシの位置及び移動経路について説明するための図である。
【発明を実施するための形態】
【００１０】
以下、図面を参照して、本発明の実施の形態に係る照明装置について説明する。この実施の形態に係る照明装置は、撮影用の照明光を射出し、例えばカメラ等の上部に取り付けられ、カメラ等により撮影を行う際に、被写体を照明するために使用される。
【００１１】
図１は、この実施の形態に係る照明装置の概略構成を示す図である。照明装置２は、図１に示すように、光源部４、反射傘６、制御部８、駆動部１０、基板１２、及びブラシ１４を備えている。光源部４は、撮影用の照明光を射出し、反射傘６は、光源部４から射出された照明光を被写体の方向へ反射させる。光源部４及び反射傘６は、図中矢印方向（後述する第１基準位置ＨＰ１と第２基準位置ＨＰ２とを含む一次元方向）に移動可能に構成されており、光源部４及び反射傘６を移動させることにより発光照射角を変化させる。即ち、カメラに装着されるカメラレンズがワイド側に配置されている場合には発光照射角を小さくするため光源部４を図中左方向に移動し、カメラレンズがテレ側に配置されている場合には発光照射角を大きくするため光源部４を図中右方向に移動する。なお、光源部４を反射傘６に対して移動可能な構成にすることもでき、光源部４及び反射傘６の移動及び光源部４の反射傘６に対する移動を組み合わせた構成にすることもできる。
【００１２】
制御部８は、例えばＣＰＵ等により構成され、照明装置２の各部を統括的に制御する。駆動部１０は、例えばステッピングモータ等により構成され、制御部８の制御に基づいて光源部４を図中矢印方向に移動させる。基板１２上には、第１基準位置ＨＰ１、第２基準位置ＨＰ２、及び第１基準位置ＨＰ１から第２基準位置ＨＰ２までの間にブラシ１４と導通するための配線パターンＣが設けられている。ブラシ１４は、基板１２と接触しつつ、光源部４と共に、基板１２上の位置Ｗから、第１基準位置ＨＰ１及び第２基準位置ＨＰ２を介して、位置Ｔまで一次元方向に移動する。ブラシ１４は、第１基準位置ＨＰ１から第２基準位置ＨＰ２までの間を移動している際には、基板１２上の配線パターンＣと導通し、ブラシ１４及び配線パターンＣが導通している間、制御部８に検出信号が入力される。一方、ブラシ１４は、位置Ｗから第１基準位置ＨＰ１まで、及び第２基準位置ＨＰ２から位置Ｔまでの間を移動している際には、基板１２上の配線パターンＣと導通しないため、制御部８に検出信号は入力されない。
【００１３】
次に、図２に示すフローチャートを参照して、この実施の形態に係る照明装置２において光源部４の位置を補正するための処理について説明する。ここで、光源部４の現在位置は、まず例えば図示しないメモリ等に記憶されるステッピングモータ（駆動部１０）のパルス数からブラシ１４の現在位置を取得し、取得したブラシ１４の現在位置に基づいて求められる。即ち、光源部４の現在位置は、制御部８からの制御信号に基づいて駆動した駆動部１０の駆動数から算出されており、光源部４が実際に移動した距離を制御部８に対して出力することはない。しかしながら、光源部４を移動させるための機構（駆動部１０やブラシ１４等）の経年変化や摩耗等、または外部からの衝撃等により光源部４が制御部８の制御に依らず移動したとき、実際の光源部４の位置と、メモリ等に記憶されているパルス数から算出される光源部４の位置とにずれが生じる場合がある。したがって、定期的に、例えば照明装置２の電源をオンしたとき、光源部４が所定距離移動したとき、及び光源部４が所定回数移動したときの少なくとも１つに該当したとき、光源部４を第１基準位置ＨＰ１及び第２基準位置ＨＰ２に移動させることにより光源部４の位置の補正を行う。
【００１４】
まず、制御部８は、照明装置２の電源がオンされたことを認識すると（ステップＳ１０、Ｙｅｓ）、メモリ等に記憶されているステッピングモータ（駆動部１０）のパルス数に基づいてブラシ１４の現在位置を取得する（ステップＳ１１）。
【００１５】
次に、制御部８は、ステップＳ１１において取得したブラシ１４の現在位置が第２基準位置ＨＰ２より第１基準位置ＨＰ１に近いか否かを判別する（ステップＳ１２）。例えば図３に示すように、ブラシ１４がＷからＴまで移動可能であり、ブラシ１４の現在位置がＡのとき、制御部８は、ブラシ１４の現在位置Ａが第２基準位置ＨＰ２より第１基準位置ＨＰ１に近いと判別する（ステップＳ１２、Ｙｅｓ）。そして、制御部８は、駆動部１０を介して、ブラシ１４を現在位置Ａから第１基準位置ＨＰ１まで移動させる（ステップＳ１３）。即ち、ブラシ１４及び配線パターンＣが非導通から導通に切り換わる箇所が第１基準位置ＨＰ１であるから、制御部８は、ブラシ１４及び配線パターンＣが導通していることを示す検出信号が入力され始めるまで、ブラシ１４（ひいては光源部４）を図中矢印方向ａ１に移動させる。なお、ブラシ１４の現在位置が第１基準位置ＨＰ１と第２基準位置ＨＰ２との間であって、第２基準位置ＨＰ２より第１基準位置ＨＰ１に近い場合には、制御部８は、ブラシ１４及び配線パターンＣが導通していることを示す検出信号が入力されなくなるまで、ブラシ１４（ひいては光源部４）を図中左方向に移動させる。
【００１６】
一方、例えば図４に示すように、ブラシ１４の現在位置がＢのとき、制御部８は、ブラシ１４の現在位置が第２基準位置ＨＰ２より第１基準位置ＨＰ１に近くない、即ち、ブラシ１４の現在位置が第１基準位置ＨＰ１より第２基準位置ＨＰ２に近いと判別する（ステップＳ１２、Ｎｏ）。そして、制御部８は、駆動部１０を介して、ブラシ１４を現在位置Ｂから第２基準位置ＨＰ２まで移動させる（ステップＳ１４）。即ち、ブラシ１４及び配線パターンＣが非導通から導通に切り換わる箇所が第２基準位置ＨＰ２であるから、制御部８は、ブラシ１４及び配線パターンＣが導通していることを示す検出信号が入力され始めるまで、ブラシ１４（ひいては光源部４）を図中矢印方向ａ３に移動させる。なお、ブラシ１４の現在位置が第１基準位置ＨＰ１と第２基準位置ＨＰ２との間であって、第１基準位置ＨＰ１より第２基準位置ＨＰ２に近い場合には、制御部８は、ブラシ１４及び配線パターンＣが導通していることを示す検出信号が入力されなくなるまで、ブラシ１４（ひいては光源部４）を図中右方向に移動させる。
【００１７】
ステップＳ１３またはＳ１４の処理の後、制御部８は、光源部４の位置の補正を行う（ステップＳ１５）。具体的には、ステップＳ１３において検出信号の入力の有無に基づいて移動したブラシ１４の位置と、ステッピングモータ（駆動部１０）のパルス数に基づき求められるブラシ１４の位置とにずれが生じている場合には、パルス数に基づき求められるブラシ１４の位置が第１基準位置ＨＰ１となるようにステッピングモータのパルス数を補正する。同様に、ステップＳ１４において移動したブラシ１４の位置と、ステッピングモータのパルス数に基づき求められるブラシ１４の位置とにずれが生じている場合には、パルス数に基づき求められるブラシ１４の位置が第２基準位置ＨＰ２となるようにステッピングモータのパルス数を補正する。このように、基板１２に対するブラシ１４の位置を補正することにより、ブラシ１４と共に移動する光源部４の位置も補正される。
【００１８】
次に、制御部８は、駆動部１０を介して、光源部４を照明装置２の電源オン時の位置に移動させる（ステップＳ１６）。即ち、図３の場合には、ブラシ１４を第１基準位置ＨＰ１から位置Ａまで図中矢印ａ２の方向に移動させ、図４の場合には、ブラシ１４を第２基準位置ＨＰ２から位置Ｂまで図中矢印ａ４の方向に移動させる。なお、照明装置２の電源オン時、カメラと通信可能な状態であってカメラに装着されるカメラレンズの位置を取得することができた場合には、電源オン時の位置Ａでなく、カメラレンズの位置に適合する位置にブラシ１４を移動させることにより光源部４を移動させる。
【００１９】
この実施の形態に係る照明装置によれば、２つの基準位置ＨＰ１，ＨＰ２を有しているため、１つの基準位置を有する従来の照明装置のように、光源部を基準位置に移動させる際の移動距離が長くなることがない。即ち、光源部４がいずれの位置にあっても光源部４の位置を補正する際の移動距離を短くすることができるため、迅速に光源部４の位置を補正することができる。したがって、移動距離が短くなることから、光源部４の位置補正に要する電力を節約することができ、かつ照明装置の起動に要する時間を短縮することができる。また、移動距離が短くなることから、光源部４の移動の際に生じる音の長さを短くすることができ、音を聞くことによるユーザーの不快感を抑制することができる。
【００２０】
なお、上述の実施の形態においては、２つの基準位置ＨＰ１，ＨＰ２を有する基板１２を備えているが、３つ以上の基板位置を有する基板を備えることもできる。
【００２１】
また、上述の実施の形態に係る照明装置２においては、電源オフ時のブラシ１４の位置（ステッピングモータのパルス数）を記憶しているが、ブラシ１４の位置が記憶されていない場合においても光源部４の位置を補正することができる。この場合には、まず、制御部８は、検出信号が入力されているか否かを判別する。検出信号が入力されている場合にはブラシ１４が図３（または図４）に示す第１基準位置ＨＰ１と第２基準位置ＨＰ２との間に位置し、検出信号が入力されていない場合にはブラシ１４が位置Ｗと第１基準位置ＨＰ１との間または第２基準位置ＨＰ２と位置Ｔとの間に位置していると判断される。
【００２２】
次に、制御部８は、ブラシ１４を図３（または図４）に示す位置Ｗへ向かう方向（左方向）または位置Ｔへ向かう方向（右方向）に移動させる。位置Ｗへ向かうか位置Ｔへ向かうかは予め設定する。制御部８は、ブラシ１４の移動前に検出信号が入力されており、ブラシ１４を左方向に移動させた場合には、検出信号が入力されなくなるまで、即ち第１基準位置ＨＰ１までブラシ１４を移動させ、第１基準位置ＨＰ１に基づいて光源部４の位置を補正する。一方、制御部８は、ブラシ１４の移動前に検出信号が入力されており、ブラシ１４を右方向に移動させた場合には、第２基準位置ＨＰ２までブラシ１４を移動させ、第２基準位置ＨＰ２に基づいて光源部４の位置を補正する。
【００２３】
また、制御部８は、ブラシ１４の移動前に検出信号が入力されておらず、ブラシ１４を左方向に移動させた場合には、検出信号が入力され始めるまでブラシ１４を移動させる。ブラシ１４が位置Ｗまで移動する前に検出信号が入力され始めた場合には、制御部８は、ブラシ１４の移動前の位置が第２基準位置ＨＰ２と位置Ｔとの間であり、ブラシ１４の移動後の位置が第２基準位置ＨＰ２であると判断し、第２基準位置ＨＰ２に基づいて光源部４の位置を補正する。一方、ブラシ１４が位置Ｗまで移動した後も検出信号が入力され始めない場合には、制御部８は、ブラシ１４の移動前の位置が位置Ｗと第１基準位置ＨＰ１との間にあると判断する。そして、検出信号が入力され始めるまで、即ち第１基準位置ＨＰ１までブラシ１４を位置Ｗから右方向に移動させ、第１基準位置ＨＰ１に基づいて光源部４の位置を補正する。
【００２４】
同様に、制御部８は、ブラシ１４の移動前に検出信号が入力されておらず、ブラシ１４を右方向に移動させた場合には、検出信号が入力され始めるまでブラシ１４を移動させる。ブラシ１４が位置Ｔまで移動する前に検出信号が入力され始めた場合には、制御部８は、ブラシ１４の移動前の位置が位置Ｗと第１基準位置ＨＰ１との間であり、ブラシ１４の移動後の位置が第１基準位置ＨＰ１であると判断し、第１基準位置ＨＰ１に基づいて光源部４の位置を補正する。一方、ブラシ１４が位置Ｔまで移動した後も検出信号が入力され始めない場合には、制御部８は、ブラシ１４の移動前の位置が第２基準位置ＨＰ２と位置Ｔの間にあると判断する。そして、検出信号が入力され始めるまで、即ち第２基準位置ＨＰ２までブラシ１４を位置Ｔから左方向に移動させ、第２基準位置ＨＰ２に基づいて光源部４の位置を補正する。
【符号の説明】
【００２５】
２…照明装置、４…光源部、６…反射傘、８…制御部、１０…駆動部、１２…基板、１４…ブラシ。
【図１】
2010250158.tif 000003
【図２】
2010250158.tif 000004
【図３】
2010250158.tif 000005
【図４】
2010250158.tif 000006
【図５】
2010250158.tif 000007